(57)【要約】【課題】  複数の緊急放送が各別の局から並行して放送されるような場合にそれらによる情報を適切に表示することのできる緊急情報表示システムを提供する。【解決手段】  複数のデジタルテレビ受信回路１３０（１３１，１３２）について当初の選局状態で緊急放送フラグを検出し（Ｓ２０２）、当初にフラグが検出された一の緊急放送の選局状態を固定して主要な画面に映出する一方、他の放送を選局スキャンして フラグが検出された放送について順次副画面に表示する（Ｓ２１３）。【選択図】  図２
2006238099.tif 000002
【特許請求の範囲】
【請求項１】
テレビジョン放送受信信号に含まれる緊急放送であることを表す緊急指標情報を検出する緊急指標情報検出部を備えた複数のテレビジョン放送受信回路と、前記テレビジョン放送受信回路のうちの一又は複数のものの出力に基づいて表示器駆動回路を介して映像乃至データの表示を行う表示器と、前記複数のテレビジョン放送受信回路のうち自己の緊急指標情報検出部が他のテレビジョン放送受信回路におけるよりも先行して緊急指標情報を検出した一のテレビジョン放送受信回路の緊急指標情報検出部の検出出力に応答して前記表示器における表示形態をマルチ画面表示に切り替えると共に当該マルチ画面表示における最も視認性の高い主画面に当該検出出力に係る一の緊急放送を表示させるシステムコントローラと、を備えことを特徴とする緊急情報表示システム。
【請求項２】
前記システムコントローラは、更に、前記一のテレビジョン放送受信回路以外のテレビジョン放送受信回路に対し選局状態を順次切り替えて前記一の緊急放送に係るもの以外の緊急指標情報を緊急指標情報検出部が検出する放送を探索する動作を起動させ、該探索の結果緊急指標情報検出部の検出出力が得られた順次の放送による各緊急放送を前記マルチ画面における主画面以外の順次の副画面に夫々表示させる指令を前記テレビジョン放送受信回路及び前記表示器駆動回路に供給することを特徴とする請求項１に記載の緊急情報表示システム。
【請求項３】
前記システムコントローラは、前記探索の結果緊急指標情報検出部の検出出力が得られた放送の数が前記副画面として有効に表示可能な画面数を超えるときには有効に表示可能な限度内での数の副画面に当該他の緊急放送を所定時間毎に順次循環的に切り替えて表示させる指令を前記テレビジョン放送受信回路及び前記表示器駆動回路に供給することを特徴とする請求項２に記載の緊急情報表示システム。
【請求項４】
前記システムコントローラは、前記探索の結果緊急指標情報検出部の検出出力が得られた放送の数が本緊急情報表示システムに備えられたテレビジョン放送受信回路の数を超えるときには複数の副画面のうちの一部のものの画面には該当する一部の緊急放送を動画で表示し、当該複数の副画面のうちの他のものの画面には該当する他の緊急放送を静止画で表示させる指令を前記テレビジョン放送受信回路及び前記表示器駆動回路に供給することを特徴とする請求項２に記載の緊急情報表示システム。
【請求項５】
ユーザによる操作を受付けて当該操作内容を前記システムコントローラに認識させる操作受付部を更に有し、前記システムコントローラは、更に、前記操作受付部に対するユーザの操作に応答して前記表示器における前記マルチ画面における主画面での放送と副画面での放送とを交替させる指令を前記テレビジョン放送受信回路及び前記表示器駆動回路に供給することを特徴とする請求項２に記載の緊急情報表示システム。
【請求項６】
前記システムコントローラは、該当する副画面に静止画で表示させた画像を経時的に更新させる指令を前記テレビジョン放送受信回路に供給することを特徴とする請求項４に記載の緊急情報表示システム。
【請求項７】
テレビジョン放送受信信号に含まれる緊急放送であることを表す緊急指標情報を検出する緊急指標情報検出部を備えた複数のテレビジョン放送受信回路と、前記テレビジョン放送受信回路のうちの一又は複数のものの出力に基づいて表示器駆動回路を介して映像乃至データの表示を行う表示器と、前記複数のテレビジョン放送受信回路のうち自己の緊急指標情報検出部が他のテレビジョン放送受信回路におけるよりも先行して緊急指標情報を検出した一のテレビジョン放送受信回路の緊急指標情報検出部の検出出力に応答して当該検出出力に係る一の緊急放送を前記表示器の表示画面に表示させると共に、前記一のテレビジョン放送受信回路以外のテレビジョン放送受信回路に対し選局状態を順次切り替えて前記一の緊急放送に係るもの以外の放送について緊急指標情報が検出される放送を探索する動作を起動させるシステムコントローラと、を備えことを特徴とする緊急情報表示システム。
【請求項８】
前記システムコントローラは、更に、前記探索の結果緊急指標情報検出部の検出出力が得られた順次の放送による各緊急放送を前記表示器の当該表示画面内にスーパーインポーズした順次の副画面に夫々表示させる指令を前記テレビジョン放送受信回路及び前記表示器駆動回路に供給することを特徴とする請求項７に記載の緊急情報表示システム。
【請求項９】
前記システムコントローラは、更に、前記探索の結果緊急指標情報検出部の検出出力が得られた放送の数が前記副画面として有効に表示可能な画面数を超えるときには有効に表示可能な限度内での数の副画面に当該他の緊急放送を所定時間毎に順次循環的に切り替えて表示させる指令を前記テレビジョン放送受信回路及び前記表示器駆動回路に供給することを特徴とする請求項８に記載の緊急情報表示システム。
【請求項１０】
前記システムコントローラは、更に、前記探索の結果緊急指標情報検出部の検出出力が得られた放送の数が本緊急情報表示システムに備えられたテレビジョン放送受信回路の数を超えるときには複数の副画面のうちの一部のものの画面には該当する一部の緊急放送を動画で表示し、当該複数の副画面のうちの他のものの画面には該当する他の緊急放送を静止画で表示させる指令を前記テレビジョン放送受信回路及び前記表示器駆動回路に供給することを特徴とする請求項８に記載の緊急情報表示システム。
【請求項１１】
ユーザによる操作を受付けて当該操作内容を前記システムコントローラに認識させる操作受付部を更に有し、前記システムコントローラは、更に、前記操作受付部に対するユーザの操作に応答して前記表示器における前記マルチ画面における主画面での放送と副画面での放送とを交替させる指令を前記テレビジョン放送受信回路及び前記表示器駆動回路に供給することを特徴とする請求項８に記載の緊急情報表示システム。
【請求項１２】
前記システムコントローラは、該当する副画面に静止画で表示させた画像を経時的に更新させる指令を前記テレビジョン放送受信回路に供給することを特徴とする請求項１０に記載の緊急情報表示システム。
【請求項１３】
テレビジョン放送受信信号に含まれる緊急放送であることを表す緊急指標情報を検出する緊急指標情報検出部を備えた複数のテレビジョン放送受信回路と、前記テレビジョン放送受信回路のうちの一又は複数のものの出力に基づいて表示器駆動回路を介して映像乃至データの表示を行う表示器と、前記テレビジョン放送受信回路で受信可能な放送に関する電子番組表を緊急放送に係る番組である旨が認識され得る形態で形成する電子番組表形成部と、前記複数のテレビジョン放送受信回路のうち自己の緊急指標情報検出部が他のテレビジョン放送受信回路におけるよりも先行して緊急指標情報を検出した一のテレビジョン放送受信回路の緊急指標情報検出部の検出出力に応答して当該検出出力に係る一の緊急放送を前記表示器の表示画面に表示させると共に、前記電子番組表形成部に電子番組表を形成させて前記表示器の表示画面にスーパーインポーズ表示させるシステムコントローラと、を備えことを特徴とする緊急情報表示システム。
【請求項１４】
ユーザによる操作を受付けて当該操作内容を前記システムコントローラに認識させる操作受付部を更に有し、前記システムコントローラは、更に、前記操作受付部に対するユーザの操作に応答して前記表示器における表示形態をマルチ画面表示に切り替えると共に当該マルチ画面表示における最も視認性の高い主画面に電子番組表に基づいてユーザが選択操作した緊急放送を表示させると共に他の放送を当該主画面以外の副画面に表示させる指令を前記テレビジョン放送受信回路及び前記表示器駆動回路に供給することを特徴とする請求項１３に記載の緊急情報表示システム。
【請求項１５】
前記システムコントローラは、更に、前記操作受付部に対するユーザの操作に応答して前記表示器における前記マルチ画面における主画面での放送と副画面での放送とを交替させる指令を前記テレビジョン放送受信回路及び前記表示器駆動回路に供給することを特徴とする請求項１４に記載の緊急情報表示システム。
【発明の詳細な説明】
【技術分野】
【０００１】
本発明は、例えば家庭用のテレビジョン受像機として構成され得る、緊急放送等の緊急情報を表示する緊急情報表示システムに関し、特に複数の緊急放送が並行して放送されるような場合にそれらによる情報を適切に表示することのできる緊急情報表示システムに関する。
【背景技術】
【０００２】
緊急放送の情報は他の放送に優先して遅滞なく的確に視聴者に報知される必要がある。緊急情報を、遅延することなく画面表示し、タイミングよくユーザに伝えることを目的としたマルチビジョン表示制御システム及び表示制御方法が従来より提案されている。
この提案では、予め複数の映像信号から選択された４つの入力映像信号Ａ,Ｂ,Ｃ,Ｄの映像を表示画面上のエリアＡ,Ｂ,Ｃ,Ｄに表示するマルチビジョンディスプレイに対し、ネットワークを介して緊急情報を至急画面表示させるための割り込み信号をシステム制御装置及び割り込み映像出力装置に発信する遠隔制御装置を備え、該遠隔制御装置からの割り込み信号によって、割り込み映像信号をマルチビジョンディスプレイに優先的に割り込み表示させるように構成されている（特許文献１参照）。
【特許文献１】特開平１０−２７１３９１号公報（段落００１３〜段落００１４、図１）
【発明の開示】
【発明が解決しようとする課題】
【０００３】
一方、デジタルテレビ放送等においては緊急放送が放送されるが、選局の如何によって報道のタイミングに時間差があったり、報道内容が異なる場合が多々ある。上述した従来の技術では、報道内容が異なっていたり放送のタイミングに時間差があったりする複数の緊急放送が並行して放送されるような場合にそれらによる情報を適切に表示するためにはどうするかといったような課題認識を持たず、従って、そのような課題解決の方途については別段の提案がなされていないものであった。
【０００４】
本発明は、上述したような従来技術において残置されていた課題に着目してなされたものであり、複数の緊急放送が並行して放送されるような場合にそれらによる情報を適切に表示することのできる緊急情報表示システムを提供することを目的とする。
【課題を解決するための手段】
【０００５】
上記課題を解決するべく、本願では次に列記するような技術を提案する。
（１）テレビジョン放送受信信号に含まれる緊急放送であることを表す緊急指標情報を検出する緊急指標情報検出部を備えた複数のテレビジョン放送受信回路と、前記テレビジョン放送受信回路のうちの一又は複数のものの出力に基づいて表示器駆動回路を介して映像乃至データの表示を行う表示器と、前記複数のテレビジョン放送受信回路のうち自己の緊急指標情報検出部が他のテレビジョン放送受信回路におけるよりも先行して緊急指標情報を検出した一のテレビジョン放送受信回路の緊急指標情報検出部の検出出力に応答して前記表示器における表示形態をマルチ画面表示に切り替えると共に当該マルチ画面表示における最も視認性の高い主画面に当該検出出力に係る一の緊急放送を表示させるシステムコントローラと、を備えことを特徴とする緊急情報表示システム。
【０００６】
上記（１）の緊急情報表示システムによれば、複数のテレビジョン放送受信回路のうちの一のテレビジョン放送受信回路における緊急指標情報検出部が他のテレビジョン放送受信回路の緊急指標情報検出部に先行して緊急放送であることを表す緊急指標情報を検出すると、表示器の画面がマルチ画面表示に切り替えられて、上記一のテレビジョン放送受信回路によって受信される緊急放送が当該マルチ画面表示における最も視認性の高い主画面に表示される。上記の表示の制御はシステムコントローラによる管理下で実行される。最初に受信された緊急放送がマルチ画面表示における最も視認性の高い主画面に表示されるため、緊急事態の発生を見逃すことなく遅滞なく認識することができる。また、マルチ画面表示であるため、主画面以外の副画面に他の放送を同時に映出させることが可能であり、主画面以外の映像情報を同時に監視する余地を持つことができる。
【０００７】
（２）前記システムコントローラは、更に、前記一のテレビジョン放送受信回路以外のテレビジョン放送受信回路に対し選局状態を順次切り替えて前記一の緊急放送に係るもの以外の緊急指標情報を緊急指標情報検出部が検出する放送を探索する動作を起動させ、該探索の結果緊急指標情報検出部の検出出力が得られた順次の放送による各緊急放送を前記マルチ画面における主画面以外の順次の副画面に夫々表示させる指令を前記テレビジョン放送受信回路及び前記表示器駆動回路に供給することを特徴とする（１）に記載の緊急情報表示システム。
【０００８】
上記（２）の緊急情報表示システムによれば、上記（１）の緊急情報表示システムによる作用において特に、主画面に緊急放送を映出している一のテレビジョン放送受信回路以外のテレビジョン放送受信回路では、主画面の緊急放送以外の緊急放送を緊急指標情報検出部の働きで探索する動作を選局状態を順次切り替えながら実行し、該探索の結果緊急指標情報検出部の検出出力が得られた順次の放送による各緊急放送をマルチ画面における主画面以外の順次の副画面に夫々表示させる。
【０００９】
この探索と表示の制御はシステムコントローラによる管理下で実行される。主画面の緊急放送以外の緊急放送も副画面によって視聴されるため、主画面に表示された放送と報道の内容を異にする緊急放送からも緊急情報を取得することができ、一局に偏しない情報収集が可能になる。
【００１０】
（３）前記システムコントローラは、前記探索の結果緊急指標情報検出部の検出出力が得られた放送の数が前記副画面として有効に表示可能な画面数を超えるときには有効に表示可能な限度内での数の副画面に当該他の緊急放送を所定時間毎に順次循環的に切り替えて表示させる指令を前記テレビジョン放送受信回路及び前記表示器駆動回路に供給することを特徴とする（２）に記載の緊急情報表示システム。
【００１１】
上記（３）の緊急情報表示システムによれば、（２）の緊急情報表示システムによる作用において特に、副画面に表示されるべき緊急放送の数が有効に表示可能な副画面の数を超えるときには、有効に表示可能な限度内での数の副画面に当該他の緊急放送を所定時間毎に順次循環的に切り替えて表示させる。この表示形態の制御はシステムコントローラによる管理下で実行される。有効に表示可能な副画面の数を上回る種類の緊急放送を視聴可能になり、緊急情報を多くの種類の報道から多角的に収集できる可能性が拡大する。
【００１２】
（４）前記システムコントローラは、前記探索の結果緊急指標情報検出部の検出出力が得られた放送の数が本緊急情報表示システムに備えられたテレビジョン放送受信回路の数を超えるときには複数の副画面のうちの一部のものの画面には該当する一部の緊急放送を動画で表示し、当該複数の副画面のうちの他のものの画面には該当する他の緊急放送を静止画で表示させる指令を前記テレビジョン放送受信回路及び前記表示器駆動回路に供給することを特徴とする（２）に記載の緊急情報表示システム。
【００１３】
上記（４）の緊急情報表示システムによれば、（２）の緊急情報表示システムによる作用において特に、探索の結果緊急指標情報検出部の検出出力が得られた放送の数が本緊急情報表示システムに備えられたテレビジョン放送受信回路の数を超えるときには、これら全放送について同時に動画を映出することはできないが、複数の副画面のうちの一部のものの画面には一部の緊急放送を動画で表示する一方、当該複数の副画面のうちの他のものの画面には該当する他の緊急放送をある時点でサンプリングしてメモリに確保するなどした画像データを用いて静止画で表示させる。
【００１４】
この表示形態の制御はシステムコントローラによる管理下で実行される。緊急放送を行っている局の数がテレビジョン放送受信回路の数を超えるときには、これら全放送について同時に動画を映出することはできないが、動画で表示できない放送についても静止画で表示されるため、他局の緊急放送を見逃す虞が低減し、緊急情報を多くの種類の報道から多角的に収集できる可能性が拡大する。
【００１５】
（５）ユーザによる操作を受付けて当該操作内容を前記システムコントローラに認識させる操作受付部を更に有し、前記システムコントローラは、更に、前記操作受付部に対するユーザの操作に応答して前記表示器における前記マルチ画面における主画面での放送と副画面での放送とを交替させる指令を前記テレビジョン放送受信回路及び前記表示器駆動回路に供給することを特徴とする（２）に記載の緊急情報表示システム。
【００１６】
上記（５）の緊急情報表示システムによれば、（２）の緊急情報表示システムによる作用において特に、操作受付部へのユーザによる操作を受付けこれに応答してマルチ画面における主画面での放送と副画面での放送とを交替させることができる。このような表示形態の制御はシステムコントローラによる管理下で実行される。ユーザの選択によって重要度の高いと思われるような、或いは、注目に値するような緊急情報を主画面で相対的に視認性良好な状態で視聴することができる。
【００１７】
（６）前記システムコントローラは、該当する副画面に静止画で表示させた画像を経時的に更新させる指令を前記テレビジョン放送受信回路に供給することを特徴とする（４）に記載の緊急情報表示システム。
【００１８】
上記（６）の緊急情報表示システムによれば、（４）の緊急情報表示システムによる作用において特に、副画面に静止画で表示させた緊急放送の画像であっても、経時的に更新されるため、その緊急放送に係る最新の状態に近い内容で事態の推移を知ることが可能になる。重要な情報を見逃してしまう虞が低減する。
【００１９】
（７）テレビジョン放送受信信号に含まれる緊急放送であることを表す緊急指標情報を検出する緊急指標情報検出部を備えた複数のテレビジョン放送受信回路と、前記テレビジョン放送受信回路のうちの一又は複数のものの出力に基づいて表示器駆動回路を介して映像乃至データの表示を行う表示器と、前記複数のテレビジョン放送受信回路のうち自己の緊急指標情報検出部が他のテレビジョン放送受信回路におけるよりも先行して緊急指標情報を検出した一のテレビジョン放送受信回路の緊急指標情報検出部の検出出力に応答して当該検出出力に係る一の緊急放送を前記表示器の表示画面に表示させると共に、前記一のテレビジョン放送受信回路以外のテレビジョン放送受信回路に対し選局状態を順次切り替えて前記一の緊急放送に係るもの以外の放送について緊急指標情報が検出される放送を探索する動作を起動させるシステムコントローラと、を備えことを特徴とする緊急情報表示システム。
【００２０】
上記（７）の緊急情報表示システムによれば、複数のテレビジョン放送受信回路のうちの一のテレビジョン放送受信回路における緊急指標情報検出部が他のテレビジョン放送受信回路の緊急指標情報検出部に先行して緊急放送であることを表す緊急指標情報を検出すると、当該検出に係る一の緊急放送を前記表示器の表示画面に表示させる。これと共に、一のテレビジョン放送受信回路以外のテレビジョン放送受信回路に対し選局状態を順次切り替えて前記一の緊急放送に係るもの以外の放送について緊急指標情報が検出される放送を探索する動作を起動させる。
【００２１】
これらの制御動作は、システムコントローラによる管理下で実行される。最初に受信された緊急放送が表示器に表示されるため、緊急事態の発生を見逃すことなく遅滞なく認識することができ、且つ、他の放送局による緊急放送についても選局状態を順次切り替えながら緊急放送の有無を探索する動作が起動するため、他の放送局による緊急放送の情報を見逃す虞が低減する。
【００２２】
（８）前記システムコントローラは、更に、前記探索の結果緊急指標情報検出部の検出出力が得られた順次の放送による各緊急放送を前記表示器の当該表示画面内にスーパーインポーズした順次の副画面に夫々表示させる指令を前記テレビジョン放送受信回路及び前記表示器駆動回路に供給することを特徴とする（７）に記載の緊急情報表示システム。
【００２３】
上記（８）の緊急情報表示システムによれば、（７）の緊急情報表示システムによる作用において特に、当初に緊急放送があることが緊急指標情報検出部の検出出力に基づいて判明しベースとなる表示画面に表示された緊急放送の画面にスーパーインポーズした順次の副画面に他の緊急放送が表示される。この表示形態の制御はシステムコントローラによる管理下で実行される。ベースとなる表示画面に表示された当初の緊急放送以外の緊急放送についても副画面に表示されるため、他の放送局による緊急放送の情報をも同時に視聴することができる。
【００２４】
（９）前記システムコントローラは、更に、前記探索の結果緊急指標情報検出部の検出出力が得られた放送の数が前記副画面として有効に表示可能な画面数を超えるときには有効に表示可能な限度内での数の副画面に当該他の緊急放送を所定時間毎に順次循環的に切り替えて表示させる指令を前記テレビジョン放送受信回路及び前記表示器駆動回路に供給することを特徴とする（８）に記載の緊急情報表示システム。
【００２５】
上記（９）の緊急情報表示システムによれば、（８）の緊急情報表示システムによる作用において特に、副画面に表示されるべき緊急放送が有効に表示可能な副画面の数を超えるときには、有効に表示可能な限度内での数の副画面に当該他の緊急放送を所定時間毎に順次循環的に切り替えて表示させる。この表示形態の制御はシステムコントローラによる管理下で実行される。有効に表示可能な副画面の数を上回る種類の緊急放送を視聴可能になり、緊急情報を多くの種類の報道から多角的に収集できる可能性が拡大する。
【００２６】
（１０）前記システムコントローラは、更に、前記探索の結果緊急指標情報検出部の検出出力が得られた放送の数が本緊急情報表示システムに備えられたテレビジョン放送受信回路の数を超えるときには複数の副画面のうちの一部のものの画面には該当する一部の緊急放送を動画で表示し、当該複数の副画面のうちの他のものの画面には該当する他の緊急放送を静止画で表示させる指令を前記テレビジョン放送受信回路及び前記表示器駆動回路に供給することを特徴とする（８）に記載の緊急情報表示システム。
【００２７】
上記（１０）の緊急情報表示システムによれば、（８）の緊急情報表示システムによる作用において特に、探索の結果緊急指標情報検出部の検出出力が得られた放送の数が本緊急情報表示システムに備えられたテレビジョン放送受信回路の数を超えるときには、これら全放送について同時に動画を映出することはできないが、複数の副画面のうちの一部のものの画面には一部の緊急放送を動画で表示する一方、当該複数の副画面のうちの他のものの画面には該当する他の緊急放送をある時点でサンプリングしてメモリに確保するなどした画像データを用いて静止画で表示させる。
【００２８】
この表示形態の制御はシステムコントローラによる管理下で実行される。緊急放送を行っている局の数がテレビジョン放送受信回路の数を超えるときには、これら全放送について同時に動画を映出することはできないが、動画で表示できない放送についても静止画で表示されるため、他局の緊急放送を見逃す虞が低減し、緊急情報を多くの種類の報道から多角的に収集できる可能性が拡大する。
【００２９】
（１１）ユーザによる操作を受付けて当該操作内容を前記システムコントローラに認識させる操作受付部を更に有し、前記システムコントローラは、更に、前記操作受付部に対するユーザの操作に応答して前記表示器における前記マルチ画面における主画面での放送と副画面での放送とを交替させる指令を前記テレビジョン放送受信回路及び前記表示器駆動回路に供給することを特徴とする（８）に記載の緊急情報表示システム。
【００３０】
上記（１１）の緊急情報表示システムによれば、（８）の緊急情報表示システムによる作用において特に、操作受付部へのユーザによる操作を受付けこれに応答してマルチ画面における主画面での放送と副画面での放送とを交替させることができる。このような表示形態の制御はシステムコントローラによる管理下で実行される。ユーザの選択によって重要度の高いと思われるような、或いは、注目に値するような緊急情報を主画面で相対的に視認性良好な状態で視聴することができる。
【００３１】
（１２）前記システムコントローラは、該当する副画面に静止画で表示させた画像を経時的に更新させる指令を前記テレビジョン放送受信回路に供給することを特徴とする（１０）に記載の緊急情報表示システム。
上記（１２）の緊急情報表示システムによれば、（１０）の緊急情報表示システムによる作用において特に、副画面に静止画で表示させた緊急放送の画像であっても、経時的に更新されるため、その緊急放送に係る最新の状態に近い内容で事態の推移を知ることが可能になる。重要な情報を見逃してしまう虞が低減する。
【００３２】
（１３）テレビジョン放送受信信号に含まれる緊急放送であることを表す緊急指標情報を検出する緊急指標情報検出部を備えた複数のテレビジョン放送受信回路と、前記テレビジョン放送受信回路のうちの一又は複数のものの出力に基づいて表示器駆動回路を介して映像乃至データの表示を行う表示器と、前記テレビジョン放送受信回路で受信可能な放送に関する電子番組表を緊急放送に係る番組である旨が認識され得る形態で形成する電子番組表形成部と、前記複数のテレビジョン放送受信回路のうち自己の緊急指標情報検出部が他のテレビジョン放送受信回路におけるよりも先行して緊急指標情報を検出した一のテレビジョン放送受信回路の緊急指標情報検出部の検出出力に応答して当該検出出力に係る一の緊急放送を前記表示器の表示画面に表示させると共に、前記電子番組表形成部に電子番組表を形成させて前記表示器の表示画面にスーパーインポーズ表示させるシステムコントローラと、を備えことを特徴とする緊急情報表示システム。
【００３３】
上記（１３）の緊急情報表示システムによれば、複数のテレビジョン放送受信回路のうちの一のテレビジョン放送受信回路における緊急指標情報検出部が他のテレビジョン放送受信回路の緊急指標情報検出部に先行して緊急放送であることを表す緊急指標情報を検出すると、当該検出に係る一の緊急放送を前記表示器の表示画面に表示させる。これと共に電子番組表形成部が電子番組表を形成して表示器の表示画面にスーパーインポーズ表示する。
【００３４】
これらの制御動作は、システムコントローラによる管理下で実行される。最初に受信された緊急放送が表示器に表示されるため、緊急事態の発生を見逃すことなく遅滞なく認識することができ、且つ、表示器の表示画面にスーパーインポーズ表示された電子番組表に基づいて、現在時点での緊急放送の放映の状況をユーザは認識することが可能になり、この認識に基づいて適切な対応をとるための方途が開かれ得る。
【００３５】
（１４）ユーザによる操作を受付けて当該操作内容を前記システムコントローラに認識させる操作受付部を更に有し、前記システムコントローラは、更に、前記操作受付部に対するユーザの操作に応答して前記表示器における表示形態をマルチ画面表示に切り替えると共に当該マルチ画面表示における最も視認性の高い主画面に電子番組表に基づいてユーザが選択操作した緊急放送を表示させると共に他の放送を当該主画面以外の副画面に表示させる指令を前記テレビジョン放送受信回路及び前記表示器駆動回路に供給することを特徴とする（１３）に記載の緊急情報表示システム。
【００３６】
上記（１４）の緊急情報表示システムによれば、（１３）の緊急情報表示システムによる作用において特に、操作受付部に対するユーザの操作に応答して表示器における表示形態をマルチ画面表示に切り替えると共に当該マルチ画面表示における最も視認性の高い主画面に電子番組表に基づいてユーザが選択操作した緊急放送を表示させる。この表示形態の制御はシステムコントローラによる管理下で実行される。ユーザが特段に注目し乃至は重視した緊急放送の情報を最も視認性の高い主画面で視聴することができる。また、マルチ画面表示であるため、主画面以外の副画面に他の放送を同時に映出させることが可能であり、主画面以外の映像情報を同時に監視する余地を持つことができる。
【００３７】
（１５）前記システムコントローラは、更に、前記操作受付部に対するユーザの操作に応答して前記表示器における前記マルチ画面における主画面での放送と副画面での放送とを交替させる指令を前記テレビジョン放送受信回路及び前記表示器駆動回路に供給することを特徴とする（１４）に記載の緊急情報表示システム。
【００３８】
上記（１５）の緊急情報表示システムによれば、（１４）の緊急情報表示システムによる作用において特に、操作受付部へのユーザによる操作を受付けこれに応答してマルチ画面における主画面での放送と副画面での放送とを交替させることができる。このような表示形態の制御はシステムコントローラによる管理下で実行される。ユーザの選択によって重要度の高いと思われるような、或いは、注目に値するような緊急情報を主画面で相対的に視認性良好な状態で視聴することができる。
【発明を実施するための最良の形態】
【００３９】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一実施の形態としての緊急情報表示システムの構成を表すブロック図である。図１において、テレビジョン放送受信信号に含まれる緊急放送であることを表す緊急指標情報（緊急放送フラグ）を検出する緊急指標情報検出部としての緊急放送フラグ検出部１２０を夫々備えたテレビジョン放送受信回路１３０（図１では１３１，１３２の２つを例示）がアンテナ１１０を共通にして複数設けられている。
【００４０】
テレビジョン放送受信回路１３０（１３１，１３２：デジタルテレビ受信回路である場合を図示）のうちの一又は複数のものの出力に基づいて表示器駆動回路１４０を介して映像乃至データの表示を行う表示器１５０が設けられている。また、複数のテレビジョン放送受信回路１３０（１３１，１３２）のうち自己の緊急指標情報検出部（緊急放送フラグ検出部）１２０が他のテレビジョン放送受信回路（例えば１３２）におけるよりも先行して緊急指標情報を検出した一のテレビジョン放送受信回路（例えば１３１）の緊急指標情報検出部１２０の検出出力に応答して表示器１５０における表示形態をマルチ画面表示に切り替えると共に当該マルチ画面表示における最も視認性の高い主画面に当該検出出力に係る一の緊急放送を表示させるシステムコントローラ１６０が設けられている。
【００４１】
システムコントローラ１６０は上述の制御動作のほか、本システム全体を統括的に制御するものであり、また、ユーザからの操作（操作子に対する直接的な操作である他、リモートコントローラからの入力という形態をとり得る）を受け付けるための操作受付部１７０が接続されて、ここを通してユーザからの操作を認識し所要の応答を行うように構成されている。
【００４２】
図２は図１の緊急情報表示システムの動作を表すフローチャートである。図２（Ａ）は当初に緊急放送のフラグが立ったことが検出されたデジタルテレビ受信回路による緊急放送をマルチ画面の主画面に映出するまでのフローチャートであり、図２（Ｂ）は、図２（Ａ）の動作フローの過程で当初に緊急放送のフラグが立った放送以外の放送である緊急放送を受信する動作の詳細を表すフローチャートである。
【００４３】
システムが起動すると、システムコントローラ１６０による管理下で、テレビジョン放送受信回路１３０は放送を受信する（ステップＳ２０１）。テレビジョン放送受信回路１３０の緊急放送フラグ検出部１２０，１２０は緊急放送のフラグが立つタイミングを監視する（ステップＳ２０２）。
ステップＳ２０２で複数のテレビジョン放送受信回路１３０（１３１，１３２）のうちの一のテレビジョン放送受信回路（例えば１３１）における緊急指標情報検出部１２０によって緊急放送のフラグが立ったことが認識されたときには、システムコントローラ１６０は、その緊急放送フラグが立ったテレビジョン放送受信回路（例えば１３１）の選局状態を固定し、他のテレビジョン放送受信回路（例えば１３２）における選局スキャン動作を起動させる（ステップＳ２０３）。
【００４４】
また、各テレビジョン放送受信回路１３０（１３１，１３２）及び表示器駆動回路１４０に制御指令を発して表示器１５０の画面をマルチ画面表示(モード)に切り替え（ステップＳ２０４）、このステップＳ２０４でのマルチ画面表示のうち、当初に緊急放送のフラグが立ったことが認識された一のテレビジョン放送受信回路（例えば１３１）よって受信される緊急放送を当該マルチ画面表示における最も視認性の高い主画面に表示させる（ステップＳ２０５）。
【００４５】
他方、ステップＳ２０３で起動した他のテレビジョン放送受信回路（例えば１３２）における選局スキャン動作は図２（Ｂ）のフローチャートのように進行する。他のテレビジョン放送受信回路（例えば１３２）における選局を順次切り替えてスキャンを行い（Ｓ２１１）、順次の選局状態において緊急フラグが立っているかを判定する（Ｓ２１２）。
ステップＳ２１２で緊急フラグが立っていることが検出されたテレビジョン放送受信回路１３０については、その状態での選局状態を固定して、マルチ画面における順次の副画面に表示していく（Ｓ２１３）。マルチ画面に割り当てられた全ての副画面が満たされたときには他のテレビジョン放送受信回路（例えば１３２）における選局を順次切り替えてスキャンを行う動作の繰り返しは終了する（Ｓ２１４）。尚、ステップＳ２１４に至る過程は、種々の変形例が考えられ、これについてはフローチャートを伴って後に詳述する。
【００４６】
図３はマルチ画面表示の一例を表す図である。この例では、全面のミュート画面１５０上に画面の左半面を少し右に超える領域を占める表示面積が最大の主画面１５１と、画面右側の残りの表示領域に、縦に整列した長方形の３つの副画面１５２，１５３，１５４でマルチ画面が構成される。
図２（Ａ）のフローチャートにおけるステップＳ２０４でのマルチ画面表示のうち、当初に緊急放送のフラグが立ったことが認識された一のテレビジョン放送受信回路（例えば１３１）についてはその選局状態が固定されており（ステップＳ２０３）、その緊急放送が最も視認性の高いこの主画面１５１に表示される（ステップＳ２０５）。緊急放送をしている放送を選局しているテレビジョン放送受信回路１３１によって最初に受信された緊急放送がマルチ画面表示における最も視認性の高い主画面に表示されるため、緊急事態の発生を見逃すことなく遅滞なく認識することができる。
【００４７】
主画面１５１に緊急放送を映出している一のテレビジョン放送受信回路（上述の例では１３１）以外のテレビジョン放送受信回路（１３２等）では、図２（Ｂ）のフローチャートについて上述のとおり、主画面１５１の緊急放送以外の緊急放送を緊急指標情報検出部（緊急放送フラグ検出部）１２０の働きで探索する動作を選局状態を順次切り替えながら実行し（ステップＳ２１１、ステップＳ２１２）、該探索の結果緊急放送フラグ検出部１２０で検出出力が得られた順次の放送による各緊急放送をマルチ画面における主画面以外の順次の副画面１５２，１５３，１５４に夫々表示させる（ステップＳ２１３）。尚、この場合は、副画面の数に見合う数のテレビジョン放送受信回路を備えれば、副画面には全て動画表示が可能となるが、テレビジョン放送受信回路の数がそれに満たない場合であっても、一部を動画表示する一方他部では静止画表示する等、以下に例示するもの等々種々の方法をとることによって、副画面の総数を充足する画面表示が可能である。
【００４８】
上述の探索と表示の制御はシステムコントローラによるテレビジョン放送受信回路１３０及び表示器駆動回路１４０に対する管理下で実行される。主画面１５１の緊急放送以外の緊急放送も副画面１５２，１５３，１５４によって視聴されるため、主画面１５１に表示された放送と報道の内容を異にする緊急放送からも緊急情報を取得することができ、一局に偏しない情報収集が可能になる。
【００４９】
図４は図２のフローチャートを参照して説明した実施の形態の変形例の動作を表すフローチャートである。図４の例では、システムコントローラ１６０は、副画面１５２，１５３，１５４に表示されるべき緊急放送の数が有効に表示可能な副画面の数を超えるときには、有効に表示可能な限度内での数の副画面（図３では３つ）に当該他の緊急放送を所定時間毎に順次循環的に切り替えて表示させる。
【００５０】
即ち、図４のフローチャートのステップＳ４０１は、図２（Ａ）のフローチャートにおけるステップＳ２０３、図２（Ｂ）フローチャートにおけるステップＳ２１１に相応するものである。即ち、図４のフローチャートに基づいて説明するものは、図２の動作フローの過程で当初に緊急放送のフラグが立った放送以外の放送である緊急放送を受信する動作の詳細を一部異にするものである。
【００５１】
他のテレビジョン放送受信回路（例えば１３２）における選局を順次切り替えてスキャンを行い（Ｓ４０１）、順次の選局状態において緊急フラグが立っていることが検出された放送の数をカウントする（Ｓ４０２）。ステップＳ４０２での緊急放送のフラグが立っている放送の数（カウント数）が、マルチ画面表示において有効に表示可能な副場面の数の限度以下か否かが判定され（Ｓ４０３）、この判定が肯定的であるときには主画面に映出している緊急放送以外の全ての緊急放送を順次の副画面に表示する（Ｓ４０４）。
【００５２】
一方、ステップＳ４０３で、緊急放送のフラグが立っている放送の数（カウント数）が、マルチ画面表示において有効に表示可能な副場面の数の限度を超過していると判定されたときには、この限度数を超過した緊急放送を含む全ての緊急放送（主画面に映出している緊急放送以外のものであることを原則とする。但し、これを含むことを妨げない）を、順次の副画面に所定時間毎に順次循環的に切り替えて表示する（Ｓ４０５）。有効に表示可能な副画面の数を上回る種類の緊急放送を視聴可能になり、緊急情報を多くの種類の報道から多角的に収集できる可能性が拡大する。
【００５３】
図５は、図２のフローチャートを参照して説明した実施の形態の、他の、変形例の動作を表すフローチャートである。図５の例では、システムコントローラ１６０は、緊急放送のフラグが立っている緊急放送の数がデジタルテレビ受信回路の数を超えるときには、一部の緊急放送については動画表示する一方、他の緊急放送については静止画表示するというものである。
【００５４】
即ち、図５のフローチャートのステップＳ５０１は、図２（Ａ）のフローチャートにおけるステップＳ２０３、図２（Ｂ）フローチャートにおけるステップＳ２１１に相応するものである。即ち、図５のフローチャートに基づいて説明するものは、図２の動作フローの過程で当初に緊急放送のフラグが立った放送以外の放送である緊急放送を受信する動作の詳細を一部異にするものである。
【００５５】
他のテレビジョン放送受信回路（例えば１３２）における選局を順次切り替えてスキャンを行い（Ｓ５０１）、順次の選局状態において緊急フラグが立っていることが検出された放送の数をカウントする（Ｓ５０２）。次いで、ステップＳ５０２での緊急放送のフラグが立っている放送の数（カウント数）が、デジタルテレビ受信回路１３０の総数以下か否かが判定され（Ｓ５０３）、この判定が肯定的であるときには主画面に映出している緊急放送以外の全ての緊急放送を順次の副画面に表示する（Ｓ５０４）。尚、確保可能な限度の副画面の数はデジタルテレビ受信回路１３０の数以上である前提での例であるが、この前提が充足されない場合も種々対応方法は考えられる。
【００５６】
一方、ステップＳ５０３で、緊急放送のフラグが立っている放送の数（カウント数）が、デジタルテレビ受信回路１３０の総数を超過していると判定されたときには、この総数以内の緊急放送を一部の画面に動画表示する一方、総数を超過した緊急放送（主画面に映出している緊急放送以外のものであることを原則とする。但し、これを含むことを妨げない）を、他の副画面に静止画で表示する（Ｓ５０５）。
【００５７】
緊急放送を行っている局の数がテレビジョン放送受信回路の数を超えるときには、これら全放送について同時に動画を映出することはできないが、動画で表示できない放送についても静止画で表示されるため、他局の緊急放送を見逃す虞が低減し、緊急情報を多くの種類の報道から多角的に収集できる可能性が拡大する。
尚、システムコントローラ１６０は、該当する副画面に静止画で表示させた画像を経時的に更新させる指令をテレビジョン放送受信回路１３０に供給するように構成され得る。また、各テレビジョン放送受信回路１３０もこのような指令に対応するように構成され得る。この場合は、副画面に静止画で表示させた緊急放送の画像であっても、経時的に更新されるため、その緊急放送に係る最新の状態に近い内容で事態の推移を知ることが可能になる。重要な情報を見逃してしまう虞が低減する。
【００５８】
図６は、本発明の他の実施の形態を説明するためのフローチャートである。図６に係る実施の形態も構成を表すブロック図上では図１のものと共通である。図６（Ａ）は当初に緊急放送のフラグが立ったことが検出されたデジタルテレビ受信回路による緊急放送を表示器１５０の画面に映出する（全画面表示する）までのフローチャートであり、図６（Ｂ）は、図６（Ａ）の動作フローの過程で当初に緊急放送のフラグが立った放送以外の放送で緊急放送フラグが立った放送を探索する動作の詳細を表すフローチャートである。
【００５９】
システムが起動すると、システムコントローラ１６０による管理下で、テレビジョン放送受信回路１３０は放送を受信する（ステップＳ６０１）。テレビジョン放送受信回路１３０の緊急放送フラグ検出部１２０，１２０は緊急放送のフラグが立つタイミングを監視する（ステップＳ６０２）。
ステップＳ６０２で複数のテレビジョン放送受信回路１３０（１３１，１３２）のうちの一のテレビジョン放送受信回路（例えば１３１）における緊急指標情報検出部１２０によって緊急放送のフラグが立ったことが認識されたときには、システムコントローラ１６０は、その緊急放送フラグが立ったテレビジョン放送受信回路（例えば１３１）の選局状態を固定し、他のテレビジョン放送受信回路（例えば１３２）における選局スキャン動作を起動させる（ステップＳ６０３）。
【００６０】
また、システムコントローラ１６０は、各テレビジョン放送受信回路１３０及び表示器駆動回路１４０に制御指令を発して表示器の画面に当初に緊急放送のフラグが立ったことが認識された一のテレビジョン放送受信回路（例えば１３１）よって受信される緊急放送を表示（全画面表示）させる（ステップＳ６０４）。
他方、ステップＳ６０３で起動した他のテレビジョン放送受信回路（例えば１３２）における選局スキャン動作は図６（Ｂ）のフローチャートのように進行する。他のテレビジョン放送受信回路（例えば１３２）における選局を順次切り替えてスキャンを行い（Ｓ６１１）、順次の選局状態において緊急フラグが立っているかを判定する（Ｓ６１２）。
【００６１】
ステップＳ６１２で緊急フラグが立っていることが検出されたテレビジョン放送受信回路１３０については、その状態での選局状態を固定して、全画面表示の中にスーパーインポーズ表示した順次の副画面に表示していく（Ｓ６１３）。予定された数の全ての副画面がスーパーインポーズ表示されたときには他のテレビジョン放送受信回路（例えば１３２）における選局を順次切り替えてスキャンを行う動作の繰り返しは終了する（Ｓ６１４）。
【００６２】
この実施の形態では、最初に受信された緊急放送が表示器に表示されるため、緊急事態の発生を見逃すことなく遅滞なく認識することができ、且つ、他の放送局による緊急放送についても選局状態を順次切り替えながら緊急放送の有無を探索する動作が起動するため、他の放送局による緊急放送の情報を見逃す虞が低減する。
また、当初に緊急放送があることが緊急指標情報検出部の検出出力に基づいて判明しベースとなる表示画面に表示された緊急放送の画面にスーパーインポーズした順次の副画面に他の緊急放送が表示される。ベースとなる表示画面に表示された当初の緊急放送以外の緊急放送についても副画面に表示されるため、他の放送局による緊急放送の情報をも同時に視聴することができる。
【００６３】
尚、図６を参照して説明した実施形態においても、探索の結果緊急指標情報検出部の検出出力が得られた放送の数が前記副画面として有効に表示可能な画面数を超えるときには、図４を参照して説明したところと同様に、有効に表示可能な限度内での数の副画面に当該他の緊急放送を所定時間毎に順次循環的に切り替えて表示させるように構成し得る。この場合は、有効に表示可能な副画面の数を上回る種類の緊急放送を視聴可能になり、緊急情報を多くの種類の報道から多角的に収集できる可能性が拡大する。
【００６４】
更にまた、探索の結果緊急指標情報検出部の検出出力が得られた放送の数が本緊急情報表示システムに備えられたテレビジョン放送受信回路の数を超えるときには、図５を参照して説明したところと同様に、これら全放送について同時に動画を映出することはできないが、複数の副画面のうちの一部のものの画面には一部の緊急放送を動画で表示する一方、当該複数の副画面のうちの他のものの画面には該当する他の緊急放送をある時点でサンプリングしてメモリに確保するなどした画像データを用いて静止画で表示させるように構成し得る。この場合は、他局の緊急放送を見逃す虞が低減し、緊急情報を多くの種類の報道から多角的に収集できる可能性が拡大する。
【００６５】
上述のマルチ画面表示の例については、操作受付部１７０（図１）へのユーザによる操作を受付けこれに応答して主画面での放送と副画面での放送とを交替させるように構成することができる。このような表示形態の制御はシステムコントローラによる管理下で実行される。ユーザの選択によって重要度の高いと思われるような、或いは、注目に値するような緊急情報を主画面で相対的に視認性良好な状態で視聴することができる。
【００６６】
図７は、本発明の他の実施の形態としての緊急情報表示システムの構成を表すブロック図である。図７において、図１との共通部分には同一の符号を附して示し、それらの説明は省略する。図７の実施の形態においては、テレビジョン放送受信回路１３０で受信可能な放送に関する電子番組表を形成する電子番組表形成部１８０を更に備えて構成される。この電子番組表形成部１８０で形成される電子番組表は、緊急放送に係る番組である旨が認識され得る形態をとる。
【００６７】
図８は図７の実施の形態の動作を表すフローチャートである。図８（Ａ）は当初に緊急放送のフラグが立ったことが検出されたことに基づいてそのフラグが立った緊急放送を表示器１５０の画面に映出し、上述の電子番組表を形成して当該画面にスーパーインポーズ表示するまでのフローチャートであり、図８（Ｂ）は、図８（Ａ）の動作フローの過程で電子番組表を見たユーザが操作受付部１７０を操作することに応答して、表示器の画面をマルチ表示画面に切り替えて、電子番組表から選択した緊急放送をこのマルチ画面に映出させる動作を表すフローチャートである。
【００６８】
システムが起動すると、システムコントローラ１６０による管理下で、テレビジョン放送受信回路１３０は放送を受信する（ステップＳ８０１）。テレビジョン放送受信回路１３０の緊急放送フラグ検出部１２０，１２０は緊急放送のフラグが立つタイミングを監視する（ステップＳ８０２）。
ステップＳ８０２で複数のテレビジョン放送受信回路１３０（１３１，１３２）のうちの一のテレビジョン放送受信回路（例えば１３１）における緊急指標情報検出部１２０によって緊急放送のフラグが立ったことが認識されたときには、システムコントローラ１６０は、その緊急放送フラグが立ったテレビジョン放送受信回路（例えば１３１）の選局状態を固定し、電子番組表形成部１８０に電子番組表の形成動作を起動させる（ステップＳ８０３）。
【００６９】
また、システムコントローラ１６０は、デジタルテレ受信回路１３０及び表示器駆動回路１４０に制御指令を発して表示器１５０の画面に当初に緊急放送のフラグが立ったことが認識された一のテレビジョン放送受信回路（例えば１３１）よって受信される緊急放送を表示（全画面表示）させる（ステップＳ８０４）。最初に受信された緊急放送が表示器１５０に表示されるため、緊急放送を見逃すことなく遅滞なく緊急事態を認識することができ、且つ、表示器１５０の表示画面にスーパーインポーズ表示された電子番組表に基づいて、現在時点での緊急放送の放映の状況をユーザは認識することが可能になり、この認識に基づいて適切な対応をとるための方途が開かれ得る。
【００７０】
他方、ステップＳ８０３で起動した電子番組表形成部１８０で形成された電子番組表に基づいてユーザが操作受付部１７０から行った操作に対応する動作は図８（Ｂ）のフローチャートのように進行する。ユーザによる操作受付部１７０からのマルチ画面へ切り替えるためのマルチ画面切り替え操作の検出動作を継続し（ステップＳ８１１）、マルチ画面切り替え操作の有無を判定する（ステップＳ８１２）。
【００７１】
ステップＳ８１２でマルチ画面切り替え操作があったと判定されたときには、マルチ画面に切り替え、マルチ画面表示における最も視認性の高い主画面に、当初に緊急放送のフラグが立ったことが認識された一のデジタルテレビ受信回路（例えば１３１）よって受信される緊急放送を表示させる（ステップＳ８１３）。次いでユーザによる操作受付部１７０からの電子番組表での選局操作が行われるのを待機し（ステップＳ８１４→ステップＳ８１５→ステップＳ８１４）、選局操作が検出された放送（構成によっては複数であり得る）を順次の副画面に表示する（Ｓ６１６）。
【００７２】
ユーザが特段に注目し乃至は重視した緊急放送の情報を最も視認性の高い主画面で視聴することができる。また、マルチ画面表示であるため、主画面以外の副画面に他の放送を同時に映出させることが可能であり、主画面以外の映像情報を同時に監視する余地を持つことができる。
上述のマルチ画面表示については、操作受付部１７０（図７）へのユーザによる操作を受付けこれに応答して主画面での放送と副画面での放送とを交替させるように構成することができる。このような表示形態の制御はシステムコントローラによる管理下で実行される。ユーザの選択によって重要度の高いと思われるような、或いは、注目に値するような緊急情報を主画面で相対的に視認性良好な状態で視聴することができる。
【００７３】
以上を総じて、本発明の実施の形態によれば、複数の緊急放送が並行して放送されるような場合にそれらによる情報を適切に表示することのできる緊急情報表示システムが実現される。
【図面の簡単な説明】
【００７４】
【図１】本発明の一実施の形態としての緊急情報表示システムの構成を表すブロック図である。
【図２】図１の緊急情報表示システムの動作を表すフローチャートである。
【図３】マルチ画面表示の一例を表す図である。
【図４】図２のフローチャートを参照して説明した実施の形態の変形例の動作を表すフローチャートである。
【図５】図２のフローチャートを参照して説明した実施の形態の、他の、変形例の動作を表すフローチャートである。
【図６】本発明の他の実施の形態を説明するためのフローチャートである。
【図７】本発明の他の実施の形態としての緊急情報表示システムの構成を表すブロック図である。
【図８】図７の実施の形態の動作を表すフローチャートである。
【符号の説明】
【００７５】
１１０…アンテナ  １２０…緊急放送フラグ検出部  １３０…テレビジョン放送受信回路  １３１，１３２…デジタルテレビ受信回路（テレビジョン放送受信回路の例として図示）１４０…表示器駆動回路  １５０…表示器  １６０…システムコントローラ  １７０…操作受付部  １８０…電子番組表形成部  
【図１】
2006238099.tif 000003
【図２】
2006238099.tif 000004
【図３】
2006238099.tif 000005
【図４】
2006238099.tif 000006
【図５】
2006238099.tif 000007
【図６】
2006238099.tif 000008
【図７】
2006238099.tif 000009
【図８】
2006238099.tif 000010